(57)【特許請求の範囲】
【請求項１】
内部にランプを収納し、開口部が透明ガラスで覆われた灯具反射体の前記開口部前側に装着される投光機用防眩装置であって、
前記反射体の開口部を覆う大きさを有する半透明板と、
１対の半環状部材と両半環状部材を締結する締結具とにより構成され、前記両半環状部材の一端が前記反射体の開口部の外縁部を囲むように配置され、その突き合わせ部が前記締結具により締結されることにより開口部外縁に係合され、他端内側に突縁部が設けられた取付枠と、
前記取付枠の他端に締結具により着脱自在に固定され、前記取付枠の突縁部と対向するように枠体内側に突縁部が設けられ、前記半透明板を、該突縁部と前記取付枠の突縁部との間に挟み込むことにより、前記反射体の開口部を覆うように保持する半透明板保持枠とを備えたことを特徴とする投光機用防眩装置。
【請求項２】
内部にランプを収納し、開口部が透明ガラスで覆われた灯具反射体の前記開口部前側に装着される投光機用防眩装置であって、
前記反射体の開口部を覆う大きさを有する半透明板と、
１対の半環状部材と両半環状部材を締結する締結具とにより構成され、前記両半環状部材が前記反射体の開口部の外縁部を囲むように配置され、その突き合わせ部が前記締結具により締結されることにより開口部外縁に着脱自在に係合され、半透明板保持部において、前記半透明板を、前記反射体の開口部を覆うように保持する取付枠とを備えたことを特徴とする投光機用防眩装置。
【請求項３】
前記半透明板がポリカーボネート製であることを特徴とする請求項１又は２に記載の投光機用防眩装置。
【請求項４】
前記半透明板の外周面と、前記半透明板保持枠の内周面、又は前記取付枠の内周面との間に間隙を設け、該間隙に緩衝材を配設したことを特徴とする請求項１，２又は３に記載の投光機用防眩装置。
【請求項５】
前記緩衝材として中空ゴム材を用いたことを特徴とする請求項４に記載の投光機用防眩装置。
【請求項６】
前記半透明板より上の、前記半透明板保持枠の側面から前記取付枠の内部まで、又は前記取付枠の側面から内部まで貫通させて水抜き孔を設けたことを特徴とする請求項１，２，３，４又は５に記載の投光機用防眩装置。
【請求項７】
内部にランプを収納し、開口部が透明ガラスで覆われた灯具反射体の開口部外縁に請求項１〜６のいずれか１項に記載の投光機用防眩装置を装着したことを特徴とする投光機。
【発明の詳細な説明】
【技術分野】
【０００１】
本発明は、夜間の屋外工事等の照明装置として使用される投光機に装着される防眩装置及び該防眩装置を装着した投光機に関するものである。
【背景技術】
【０００２】
夜間、屋外での道路工事や建設工事等の照明装置として、エンジン駆動発電機を電源とした投光機が広く用いられている。図１３は、投光機の一例を示す図である。図１３において、１は灯具の反射体、２はアーム、３は角度固定ハンドル、４は目盛板、５はランプ交換口、６は口出し線、７は支持部材、８は伸縮支柱、９はエンジン駆動発電機である。
【０００３】
反射体１の中には光源となるランプ（図示せず）が設けられており、アーム２，支持部材７，伸縮支柱８を介して、エンジン駆動発電機９が載せられている台車に取り付けられている。支持部材７は、伸縮支柱８の上端部に水平方向に回動自在に取り付けられており、その両端部に、水平方向及び鉛直方向に回動自在となるように反射体１が取り付けられている。また、反射体１の投光面は、矩形形状に形成されており、それぞれを水平方向に独立して回動させることにより、広い照射範囲を確保できるようにしている。
【０００４】
ところで、この種の投光機を使って夜間工事を行っているとき、その傍を車で通行すると、投光機の光が運転者の目に入って眩しさを感じ、運転に支障をきたす場合がある。そのようなことが起きないように、従来から各種の投光機用防眩装置が提案されている。
【０００５】
例えば、特許文献１には、折り畳み開閉自在な傘状に形成した支持体に布製の防眩フィルタを張設した防眩装置本体を投光機の投光面に取り付けるようにした投光機用防眩装置が示されている。このような投光機用防眩装置を用いれば、通行する車両の運転者に眩しさを感じさせずに、夜間工事の作業現場をしっかり照らすことができる。
【０００６】
また、特許文献２には、投光機の前面ガラスに、裏部に接着糊が塗布された防眩シートを貼り付けるようにした投光機用防眩装置が示されている。このような投光機用防眩装置を用いれば、簡単な構成で、通行者に眩しさを感じさせないようにすることができる。
【特許文献１】特開２００２−２６０４０２号公報
【特許文献２】特開２００６−１９２３２号公報
【発明の開示】
【発明が解決しようとする課題】
【０００７】
しかしながら、上記従来の投光機用防眩装置の内、特許文献１に示されるような防眩装置には、構造が複雑である上、照度の調整ができず、さらに、防眩フィルタが布製のため耐久性や耐候性に劣るという問題点があった。また、特許文献２に示されるような防眩装置には、この種の投光機のランプは使用時に高熱を発するため、前面ガラスはかなり高温になるが、防眩シートとして用いられる通常のプラスチックシートでは耐熱性が劣り、さらに、その防眩シートを接着糊で貼り付けるだけでは、高温に加え、屋外で風雨にさらされたりして剥がれ落ちてしまうおそれがあるという問題点があった。
【０００８】
本発明は、そのような問題点に鑑み、構造が簡単な上、耐熱性，耐久性及び耐候性に優れ、照度の調整も簡単にできる投光機用防眩装置を提供することを目的とするものである。
【課題を解決するための手段】
【０００９】
前記課題を解決するため、本願の請求項１にかかる発明は、内部にランプを収納し、開口部が透明ガラスで覆われた灯具反射体の前記開口部前側に装着される投光機用防眩装置であって、前記反射体の開口部を覆う大きさを有する半透明板と、１対の半環状部材と両半環状部材を締結する締結具とにより構成され、前記両半環状部材の一端が前記反射体の開口部の外縁部を囲むように配置され、その突き合わせ部が前記締結具により締結されることにより開口部外縁に係合され、他端内側に突縁部が設けられた取付枠と、前記取付枠の他端に締結具により着脱自在に固定され、前記取付枠の突縁部と対向するように枠体内側に突縁部が設けられ、前記半透明板を、該突縁部と前記取付枠の突縁部との間に挟み込むことにより、前記反射体の開口部を覆うように保持する半透明板保持枠とを備えたことを特徴とする。
【００１０】
また、本願の請求項２にかかる発明は、内部にランプを収納し、開口部が透明ガラスで覆われた灯具反射体の前記開口部前側に装着される投光機用防眩装置であって、前記反射体の開口部を覆う大きさを有する半透明板と、１対の半環状部材と両半環状部材を締結する締結具とにより構成され、前記両半環状部材が前記反射体の開口部の外縁部を囲むように配置され、その突き合わせ部が前記締結具により締結されることにより開口部外縁に着脱自在に係合され、半透明板保持部において、前記半透明板を、前記反射体の開口部を覆うように保持する取付枠とを備えたことを特徴とする。
【００１２】
また、本願の請求項３にかかる発明は、請求項１又は２にかかる発明において、前記半透明板がポリカーボネート製であることを特徴とする。
【００１３】
また、本願の請求項４にかかる発明は、請求項１，２又は３にかかる発明において、前記半透明板の外周面と、前記半透明板保持枠の内周面、又は前記取付枠の内周面との間に間隙を設け、該間隙に緩衝材を配設したことを特徴とする。
【００１４】
また、本願の請求項５にかかる発明は、請求項４にかかる発明において、前記緩衝材として中空ゴム材を用いたことを特徴とする。
【００１５】
また、本願の請求項６にかかる発明は、請求項１，２，３，４又は５にかかる発明において、前記半透明板より上の、前記半透明板保持枠の側面から前記取付枠の内部まで、又は前記取付枠の側面から内部まで貫通させて水抜き孔を設けたことを特徴とする。
【００１６】
また、本願の請求項７にかかる発明は、内部にランプを収納し、開口部が透明ガラスで覆われた灯具反射体の開口部外縁に請求項１〜６のいずれか１項に記載の投光機用防眩装置を装着したことを特徴とする。
【発明の効果】
【００１７】
本発明の投光機用防眩装置及び投光機は、次のような効果を奏する。
【００１８】
すなわち、請求項１にかかる発明においては、１対の半環状部材を反射体の開口部の外縁部を囲むように配置し、その突き合わせ部を締結具により締結することにより開口部外縁に取付枠を係合させ、該取付枠の他端に、締結具により半透明板保持枠を着脱自在に固
定し、半透明板を、前記半透明板保持枠の突縁部と前記取付枠の突縁部との間に挟み込むことにより、前記反射体の開口部を覆うように保持するようにした。その結果、構造が簡単で、半透明板の着脱、交換が容易な投光機用防眩装置を実現できる。
【００１９】
また、請求項２にかかる発明においては、１対の半環状部材を反射体の開口部の外縁部を囲むように配置し、その突き合わせ部を締結具により締結することにより開口部外縁に取付枠を着脱自在に係合させ、その半透明板保持部において、半透明板を、前記反射体の開口部を覆うように保持するようにした。その結果、取付枠だけで開口部外縁への取付と半透明板の保持ができ、構造が簡単で、半透明板の着脱、交換が容易な投光機用防眩装置を実現できる。
【００２１】
また、請求項３にかかる発明においては、請求項１又は２にかかる投光機用防眩装置において、半透明板をポリカーボネート製としたので、耐熱性，耐衝撃性及び耐候性が向上し、また、異なる光透過率の半透明板を複数枚用意することにより照度の調整も容易になる。
【００２２】
また、請求項４にかかる発明においては、請求項１，２又は３にかかる投光機用防眩装置において、半透明板の外周面と、前記半透明板保持枠の内周面、又は前記取付枠の内周面との間に間隙を設け、該間隙に緩衝材を配設するようにしたので、ランプの熱による半透明板の熱膨張を吸収できるとともに、エンジン運転に伴う半透明板の振動を防止できる。
【００２３】
また、請求項５にかかる発明においては、請求項４にかかる投光機用防眩装置において、前記緩衝材として中空ゴム材を用いたので、半透明板の熱膨張吸収と振動防止を効率よく行うことができる。
【００２４】
また、請求項６にかかる発明においては、請求項１，２，３，４又は５にかかる投光機用防眩装置において、前記半透明板より上の、前記半透明板保持枠の側面から前記取付枠の内部まで、又は前記取付枠の側面から内部まで貫通させて水抜き孔を設けたので、取付枠の中に雨水等が浸入しても外部に排出することができる。
【００２５】
また、請求項７にかかる発明においては、内部にランプを収納し、前側開口部が透明ガラスで覆われた灯具反射体の開口部外縁に、請求項１〜６のいずれか１項に記載の投光機用防眩装置を装着したので、構造が簡単な上、耐熱性，耐久性及び耐候性に優れ、照度の調整も簡単にできる防眩装置を備えた投光機を提供することができる。
【発明を実施するための最良の形態】
【００２６】
以下、本発明の実施例を図面に基づいて詳細に説明する。
【実施例１】
【００２７】
図１は、実施例１の防眩装置を投光機に装着した状態を示す図であり、図２は、図１中のＰの部分の部分拡大断面図である。また、図３は、実施例１の取付枠を示す図であり、図４は、図３中のＡ−Ａ部分の断面図であり、図５は、取付枠の突き合わせ部をキャッチクリップにより締結した状態を示す図である。また、図６は、実施例１の半透明板保持枠を示す図であり、図７は、図６中のＢ−Ｂ部分の断面図であり、図８は、半透明板保持枠をキャッチクリップにより取付枠に固着した状態を示す図である。
【００２８】
図１〜図８において、符号１〜６は、図１３のものに対応しており、１０は取付枠、１１は半透明板保持枠、１２，１３はキャッチクリップ、１４は水抜き孔、１５は半透明板、１６は中空ゴム材、２０は透明ガラス、２１はガラス周縁保護材、２２は反射体１の開口部外縁である。
【００２９】
反射体１は、図の下方に向けて矩形の開口部を有しており、その内部には、図示はしないが、反射体１の一方の側面部からソケットを介して筒状のランプが取り付けられている。そして、ソケットが設けられている側とは反対側の側面部には、開閉蓋を備えるランプ交換口５が設けられている。
【００３０】
また、反射体１の後部上面には、門型形状のアーム２が、鉛直方向に回動自在に取り付けられており、反射体１の鉛直方向の回動角度は、角度固定ハンドル３を緩めて、目盛板４の角度目盛に合わせて調整した後、角度固定ハンドル３を締め付けて固定する。そして、アーム２の水平部の中間部は、図１３に示した支持部材７に、水平方向に回動自在に取り付けられている。さらに、投光面となる反射体１の開口部は、縁部が開口部外縁２２に固定された透明ガラス２０により覆われている。
【００３１】
反射体１の外側に環状に突き出た開口部外縁２２には、投光機用防眩装置の取付枠１０が取り付けられる。なお、ここで、「環状」とは、円形、楕円形だけでなく実施例における反射体１の開口部のような矩形のものも含むものとする。
【００３２】
取付枠１０は、図３に示すように、二つの半環状部材を突き合わせて環状に形成し、図５に示すように、突き合わせ部１７を挟んで一方にキャッチクリップ１２の掛金部１２ａを取り付け、他方に受金部１２ｂを取り付けて、受金部１２ｂに掛金部１２ａを掛け止めすることにより、突き合わせ部１７を締結するようにしている。
【００３３】
取付枠１０の半環状部材は、軽量で安価なアルミニウムを押出加工して、断面が図４に示すような形状の長尺材を作り、それを所定の長さに切断した後、曲げ加工を施して形成することができる。なお、図４に示す溝１０ａが上記開口部外縁２２に係合する形で、取付枠１０が反射体１に取り付けられることになる。さらに、取付枠１０の側部には、半透明板保持枠１１を固定するためのキャッチクリップ１３を複数個設けている。
【００３４】
取付枠１０の下端部には、半透明板１５を保持するための半透明板保持枠１１を配置し、キャッチクリップ１３により着脱自在な状態で固定している。半透明板保持枠１１は、図６に示すように、二つの半環状部材を突き合わせて環状に形成するが、半環状部材は、取付枠１０と同様に、軽量で安価なアルミニウムを押出加工して、断面が図７に示すような形状の長尺材を作り、それを所定の長さに切断した後、曲げ加工を施して形成することができる。
【００３５】
さらに、その側部には、取付枠１０に固定するためのキャッチクリップ１３の受金部１３ｂを、取付枠１０に設けたキャッチクリップ１３と対向する位置に設けている。その際、半透明板保持枠１１の突き合わせ部１８が、キャッチクリップ１３の受金部１３ｂを取り付ける位置になるように形成し、図８に示すように、突き合わせ部１８を挟んで、キャッチクリップ１３の受金部１３ｂを差し渡し、両側でビスにより締め付けることにより両者を連結するようにしている。そのようにして、受金部１３ｂを固定するためのビスに、半透明板保持枠１１への受金部１３ｂの固定だけでなく、半透明板保持枠１１突き合わせ部１８を連結させる機能をも持たせている。
【００３６】
半透明板１５は、ポリカーボネート製とする。ポリカーボネートは、透明性に優れている樹脂であり、しかも、透明樹脂の代表格であるアクリル樹脂に比べて衝撃強度が約４０倍というように耐衝撃性が高い。そのため、灯具前面を覆う透明ガラス２０の保護材としても機能する。しかも、ポリカーボネートは、高い耐候性を有するため、長期間使用することができる上、アクリル樹脂より安価な樹脂である。また、ポリカーボネートは、耐熱温度が１３０℃というように耐熱性が高い。そのため、ランプとの間の距離を短くすることができて、装置としてコンパクトにできる。
【００３７】
さらに、ポリカーボネートは、製造過程で染料や添加剤の種類と量を調整することで、光透過率を容易に変えることができる。そのため、光透過率が異なる半透明板１５を複数枚用意しておき、必要に応じてそれらを交換することにより、現場の状況に応じて最適な明るさを選択することができる。
【００３８】
そのような半透明板１５は、取付枠１０の下端に設けた突縁部１０ｂ（図４参照）と、半透明板保持枠１１の下端に設けた突縁部１１ａ（図７参照）の間に挟み込むようにして保持される。その際、半透明板１５は、使用中にランプの熱で径方向に膨張するが、その膨張分を吸収できるように、半透明板保持枠１１の内周面と半透明板１５の外周縁との間に隙間ができるようにしている。ただ、そのように隙間を設けただけでは、使用中、エンジンの振動により半透明板１５ががたついてしまう。そこで、半透明板１５の外周面と半透明板保持枠１１の内面との間に、中空ゴム材１６を設けている。そのようにすれば、中空ゴム材１６は大きな伸縮性があるため、半透明板１５の熱膨張を吸収するとともに、エンジンの運転に伴う半透明板１５の振動を防止できる。
【００３９】
そして、明るさを調整するために半透明板１５を交換する際には、４個のキャッチクリップ１３の係合を外して半透明板保持枠１１を取付枠１０から取り外すことにより容易に交換できる。
【００４０】
また、雨中で工事を行う場合には、反射体１と取付枠１０の隙間から雨水が浸入してしまう可能性があるが、半透明板保持枠１１の上部側面から取付枠１０の内部まで貫通させて水抜き孔１４を設けているため、雨水が浸入してもそこから外部に排出できる。
【実施例２】
【００４１】
図９は、実施例２の防眩装置を投光機に装着した状態を示す図であり、図１０は、図９中のＱの部分の部分拡大断面図である。また、図１１は、実施例２の取付枠を示す図であり、図１２は、図１１中のＣ−Ｃ部分の断面図である。図９〜図１２において、符号は、図１〜図６のものに対応している。
【００４２】
実施例１では、取付枠１０と半透明板保持枠１１とを別体にして構成したが、両者を一体化させてもよい。この実施例では、取付枠１０に半透明板保持枠１１の機能をも持たせて両者を一体化させている。
【００４３】
実施例１と同様に、反射体１の外側に環状に突き出た開口部外縁２２に、投光機用防眩装置の取付枠１０が取り付けられる。取付枠１０は、図１１に示すように、半環状の部材二つを突き合わせて環状に形成し、突き合わせ部１７をキャッチクリップ１２により締結するようにしている。
【００４４】
取付枠１０の半環状部材は、軽量で安価なアルミニウムを押出加工して、断面が図１２に示すような形状の長尺材を作り、それを所定の長さに切断した後、曲げ加工を施して形成することができる。
【００４５】
取付枠１０の下端部には、半透明板１５を保持するための半透明板保持部として、保持溝１０ｃ（図１２参照）を設け、その中に半透明板１５の周縁部を入れて半透明板１５を保持するようにしている。その際、実施例１と同様に、半透明板１５の熱膨張を吸収するための中空ゴム材１６を溝１０ｃの中に配置する。
【００４６】
そして、明るさを調整するために半透明板１５を交換する際には、２個のキャッチクリップ１２の係合を外して取付枠１０を開口部外縁２２から取り外すことにより容易に交換できる。
【００４７】
なお、上記実施例１，２では、灯具反射体１は、開口部が矩形のものの場合で説明したが、反射体１の形状はそれに限定されず、本発明は、開口部が円形，楕円形等その他の形状の反射体１にも適用可能である。その場合、取付枠１０，半透明板保持枠１１の形状を反射体１の開口部の形状に合わせる必要があることは当然である。
【００４８】
また、上記実施例１，２では、突き合わせた１対の半環状部材を締結するための締結具、及び、取付枠１０に半透明板保持枠１１を固定するための締結具としてキャッチクリップを用いたが、必ずしもそれに限定されず、簡易に締結できるものであれば、その他の方式の締結具でも使用できる。
【図面の簡単な説明】
【００４９】
【図１】実施例１の防眩装置を投光機に装着した状態を示す図である。
【図２】図１中のＰの部分の部分拡大断面図である。
【図３】実施例１の取付枠を示す図である。
【図４】図３中のＡ−Ａ部分の断面図である。
【図５】取付枠の突き合わせ部をキャッチクリップにより締結した状態を示す図である。
【図６】実施例１の半透明板保持枠を示す図である。
【図７】図６中のＢ−Ｂ部分の断面図である。
【図８】半透明板保持枠をキャッチクリップにより取付枠に固着した状態を示す図である。
【図９】実施例２の防眩装置を投光機に装着した状態を示す図である。
【図１０】図９中のＱの部分の部分拡大断面図である。
【図１１】実施例２の取付枠を示す図である。
【図１２】図１１中のＣ−Ｃ部分の断面図である。
【図１３】投光機の一例を示す図である。
【符号の説明】
【００５０】
１…反射体
２…アーム
３…角度固定ハンドル
４…目盛板
５…ランプ交換口
６…口出し線
７…支持部材
８…伸縮支柱
９…エンジン駆動発電機
１０…取付枠
１１…半透明板保持枠
１２，１３…キャッチクリップ
１４…水抜き孔
１５…半透明板
１６…中空ゴム材
２０…透明ガラス
２１…ガラス周縁保護材
２２…開口部外縁
【図１】
0005072529.tif 000002
【図２】
0005072529.tif 000003
【図３】
0005072529.tif 000004
【図４】
0005072529.tif 000005
【図５】
0005072529.tif 000006
【図６】
0005072529.tif 000007
【図７】
0005072529.tif 000008
【図８】
0005072529.tif 000009
【図９】
0005072529.tif 000010
【図１０】
0005072529.tif 000011
【図１１】
0005072529.tif 000012
【図１２】
0005072529.tif 000013
【図１３】
0005072529.tif 000014